(57)【要約】      （修正有）【課題】皮膚との間の通気性を高めるとともに、皮膚への刺激を適度に高めることができる結び目付き可撓性シートを提供する。【解決手段】可撓性を有する生地２０と、可撓性を有する糸を結ぶことで形成される糸の一群である結び目であって生地の表面に形成された少なくとも１つの結び目１０と、を備える。【選択図】図３
0003228556.tif 000002
【実用新案登録請求の範囲】
【請求項１】
可撓性を有する生地と、
可撓性を有する糸を結ぶことで形成される結び目であって前記生地の表面に形成された少なくとも１つの結び目と、を備える結び目付き可撓性シート。
【請求項２】
前記生地の表面に形成された隣り合う結び目は、互いに離隔可能に独立している請求項１に記載の可撓性シート。
【請求項３】
前記生地の表面に形成された隣り合う結び目の間隔が、０．５ｍｍ以上かつ２０ｍｍ以下である請求項１に記載の可撓性シート。
【請求項４】
結び目の高さが、０．５ｍｍ以上かつ５ｍｍ以下である請求項１に記載の可撓性シート。
【請求項５】
前記生地の表面に形成された結び目の数密度が、０．５（個／ｃｍ２）以上かつ４００（個／ｃｍ２）以下である請求項１に記載の可撓性シート。
【請求項６】
前記生地の表面に形成された結び目の外径と高さとの比が、０．５以上かつ２以下である請求項１に記載の可撓性シート。
【請求項７】
前記生地は、経糸と前記経糸とは異なる緯糸とを所定の規則に従って交差させて形成される織物であり、
前記結び目は、前記経糸と前記緯糸との少なくとも一方の糸で形成される請求項１に記載の可撓性シート。
【請求項８】
前記生地は、経糸と前記経糸とは異なる緯糸とを所定の規則に従って交差させて形成される織物であり、
前記結び目は、前記経糸と前記緯糸とは異なる糸で形成される請求項１に記載の可撓性シート。
【請求項９】
前記結び目は、前記経糸の材質及び前記緯糸の材質とは異なる材質の糸で形成される請求項８に記載の可撓性シート。
【考案の詳細な説明】
【技術分野】
【０００１】
生地の表面に結び目が形成された可撓性シートに関する。
【背景技術】
【０００２】
生地の表面に凸部が形成された織物が知られている。例えば、多数の凸部が表面に形成されたシーツがある。このシーツは、多数本の縦糸と横糸とを織り合わせて、複数の網目で構成される区画を多数個形成するともに、これらの区画の各々の中央部で、縦糸と横糸とを上方へ屈曲させて凸部を形成している（例えば、特許文献１参照）。
【先行技術文献】
【特許文献】
【０００３】
【特許文献１】実開平７−７５６９号公報
【考案の概要】
【考案が解決しようとする課題】
【０００４】
前述した従来の生地は、多数本の縦糸と横糸とを織り合わせて形成されたもので、皮膚との間の通気性を十分に高めることができず、また、皮膚への刺激が低くなる場合があった。
【０００５】
本考案は、上述の点に鑑みてなされたものであり、その目的とするところは、皮膚に適度な刺激を与えることができるとともに、皮膚との間の通気性を確保することができる結び目付き可撓性シートを提供することにある。
【課題を解決するための手段】
【０００６】
本考案による結び目付き可撓性シートの特徴は、
可撓性を有する生地と、
可撓性を有する糸を結ぶことで形成される結び目であって前記生地の表面に形成された少なくとも１つの結び目と、を備えることである。
【考案の効果】
【０００７】
皮膚に適度な刺激を与えることができるとともに、皮膚との間の通気性を確保することができる。
【図面の簡単な説明】
【０００８】
【図１】本実施の形態による結び目の代表的な例を示す概略図である。
【図２】本実施の形態による結び目の代表的な例を示す概略図である。
【図３】生地と結び目との関係を示す断面図である。
【図４】結び目の配置の態様を示す平面図である。
【図５】結び目の配置の態様を示す平面図である。
【図６】結び目の配置の態様を示す平面図である。
【図７】結び目の配置の態様を示す平面図である。
【図８】結び目の近似形状及び近似形状の特徴を示す断面図（ａ）と平面図（ｂ）とである。
【図９】経糸（縦糸）に予め結び目を形成して生地を形成する概要を示す斜視図である。
【図１０】緯糸（横糸）に予め結び目を形成して生地を形成する概要を示す斜視図である。
【図１１】織機によって織物を織るときの概要を示す斜視図である。
【図１２】結び目を押圧するための押圧体を示す斜視図である。
【図１３】結び目を一方の表面に移動させて押し出して突出させる状態を示す側面図である。
【図１４】掛止体で結び目を掛止して、結び目を引き出して突出させる状態を示す側面図である。
【図１５】生地とは異なる糸によって結び目を形成する場合の例を示す断面図である。
【図１６】ミシンを用いて結び目を形成する例を示す断面図である。
【考案を実施するための形態】
【０００９】
＜＜＜＜本実施の形態の概要＞＞＞＞
＜＜第１の実施の態様＞＞
第１の実施の態様によれば、
可撓性を有する生地と、
可撓性を有する糸を結ぶことで形成される結び目であって前記生地の表面に形成された少なくとも１つの結び目と、を備える結び目付き可撓性シートが提供される。
【００１０】
結び目付き可撓性シートは、生地と、少なくとも１つの結び目とを備える。生地は、可撓性を有する。生地は、織物で形成しても樹脂で形成してもよい。生地を織物で形成する場合に、織物を形成する経糸（たて糸）及び緯糸（よこ糸）は、天然繊維でも化学繊維でもよい。天然繊維の場合には、植物繊維や動物繊維などがあり、経糸と緯糸とを絹、綿、ウール、麻などにすることができる。化学繊維の場合には、経糸と緯糸とをポリエステルやナイロンなどにすることができる。また、生地を樹脂で形成する場合には、生地は、樹脂シートや樹脂フィルムなどの連続的に形成され略一様の厚みを有する。樹脂の素材は、ポリエチレン、ポリプロピレン、塩化ビニール、ポリエチレンテレフタレート、テフロン（登録商標）などにすることができる。
【００１１】
少なくとも１つの結び目は、生地の表面に形成されている。また、少なくとも１つの結び目は、可撓性を有する糸を結ぶことで形成され、糸の塊状の形態を有する。なお、結び目は、糸の塊や糸の絡まりなどの糸の集合体や糸の一群や一団として捉えられる形態であればよい。結び目を形成する糸も天然繊維でも化学繊維でもよい。生地の表面に少なくとも１つの結び目が形成されていればよく、複数の結び目が生地の表面に形成されてもよい。また、結び目を形成するための糸は、１本でも複数本でもよい。
【００１２】
また、結び目は、生地の表面の一定の位置に形成されている。なお、一定の位置とは、所定の一の位置を中心にして、ある程度の範囲内で変位可能であることをいう。
【００１３】
身体を可撓性シートと接触したときに、少なくとも１つの結び目によって皮膚が刺激され、指圧効果を生じさせて身体を癒すことができる。
【００１４】
＜＜第２の実施の態様＞＞
第２の実施の態様は、第１の実施の態様において、
前記生地の表面に形成された隣り合う結び目は、互いに変位可能に独立しているように構成される。
【００１５】
隣り合う結び目は、互いに変位可能に独立している。生地は、可撓性を有するため、生地の状態によっては、結び目は、生地から離隔することなく、生地の表面をある程度の範囲で変位することができる。例えば、第１の結び目は、生地の表面の第１の位置を中心にして所定の範囲を変位することができる。同様に、第２の結び目は、第１の位置とは異なる生地の表面の第２の位置を中心にして所定の範囲を変位することができる。
【００１６】
このように、隣り合う結び目は、いずれも変位することができる。このため、結び目の大きさや、隣り合う結び目の間隔などによっては、隣り合う結び目同士が接触する状態が生ずる場合もあり得る。隣り合う結び目は、別個に独立して変位することができ、隣り合う結び目同士が接触したとしても、離隔可能に接触している状態である。このように、隣り合う結び目は、いわゆる模様などを示すために連続して形成される刺繍などとは異なる。隣り合う結び目は、互いに変位可能に独立しているので、身体のツボなどの所望する位置などに応じて結び目を別個に変位させることができ、身体を刺激して癒すことができる。
【００１７】
＜＜第３の実施の態様＞＞
第３の実施の態様は、第１の実施の態様において、
前記生地の表面に形成された隣り合う結び目の間隔が、０．５ｍｍ以上かつ２０ｍｍ以下であるように構成される。
【００１８】
身体のツボなどの所望する位置などに応じて刺激することができる。
【００１９】
＜＜第４の実施の態様＞＞
第４の実施の態様は、第１の実施の態様において、
結び目の高さが、０．５ｍｍ以上かつ５ｍｍ以下である。
【００２０】
身体のツボなどの部位など所望する位置などに応じて刺激することができる。
【００２１】
＜＜第５の実施の態様＞＞
第５の実施の態様は、第１の実施の態様において、
前記生地の表面に形成された結び目の数密度が、０．５（個／ｃｍ２）以上かつ４００（個／ｃｍ２）以下である。
【００２２】
身体のツボなどの部位など所望する位置などに応じて刺激することができる。
【００２３】
＜＜第６の実施の態様＞＞
第６の実施の態様は、第１の実施の態様において、
前記生地の表面に形成された結び目の外径と高さとの比が、０．５以上かつ２以下である。
【００２４】
身体のツボなどの部位など所望する位置などに応じて刺激することができる。
【００２５】
＜＜第７の実施の態様＞＞
第７の実施の態様は、第１の実施の態様において、
前記生地は、経糸と前記経糸とは異なる緯糸とを所定の規則に従って交差させて形成される織物であり、
前記結び目は、前記経糸と前記緯糸との少なくとも一方の糸で形成される。
【００２６】
結び目は、経糸と緯糸との少なくとも一方の糸で形成されるので、構成を簡素にすることができる。
【００２７】
＜＜第８の実施の態様＞＞
第８の実施の態様は、第１の実施の態様において、
前記生地は、経糸と前記経糸とは異なる緯糸とを所定の規則に従って交差させて形成される織物であり、
前記結び目は、前記経糸と前記緯糸とは異なる糸で形成される。
【００２８】
結び目は、経糸と緯糸とは異なる糸で形成されるので、身体との接触面積が大きくなる生地の素材と、身体に刺激を与える結び目の素材とを適宜に定めることができる。
【００２９】
＜＜第９の実施の態様＞＞
第９の実施の態様は、第８の実施の態様において、
前記結び目は、前記経糸の材質及び前記緯糸の材質とは異なる材質の糸で形成される。
【００３０】
結び目が、経糸の材質と緯糸の材質とは異なる材質の糸で形成されるので、身体に刺激を与える結び目の素材を適宜に定めることができる。
【００３１】
＜＜＜＜本実施の形態の詳細＞＞＞＞
以下に、実施の形態について図面に基づいて説明する。
【００３２】
＜＜＜結び目付き可撓性シート＞＞＞
結び目付き可撓性シートは、生地２０と結び目とを有する。結び目１０は、生地２０に連結されている。少なくとも１つの結び目が生地２０の表面に連結して配置されている。生地２０は、２次元的な平面状に延在し、第１の表面（第１の面）と第１の表面とは反対側（裏側）の第２の表面（第２の面）とを有する。結び目が生地２０の第１の表面又は第２の表面のいずれか一方の表面に連結されている。このように、結び目は、第１の表面又は第２の表面のうちのいずれか一方の表面に連結されているが、後述するように、生地２０は可撓性を有するため、結び目が生地２０を押圧するなどによって、結び目の一部が反対側の生地２０の表面が押し出される場合もある。しかしながら、このような状態となっても、結び目は、第１の表面又は第２の表面のうちのいずれか一方の表面のみに連結されている。結び目と生地２０との間隔は、所望に応じて任意にすることができる。結び目と生地２０との間隔については、後述する。
【００３３】
＜＜生地２０＞＞
生地２０は、薄い膜状又は板状の形状を有し、可撓性を有し、２次元的な平面を形成する。なお、平面とは、平坦な表面のみならず、湾曲したり屈曲したりする曲面も含む。生地２０は、可撓性を有するため、湾曲したり屈曲したりすることができ、裂けたり切れたりしない範囲で所望する形状に変形することができる。生地２０の材料は、天然素材によるものでも、合成素材によるものでもよい。また、生地２０は、樹脂などで構成されても、織物（繊維）などで構成されてもよい。生地２０を樹脂などで構成することによって、気体や液体などを透過させにくくでき、封止性を高めることができる。さらに、生地２０を樹脂などで構成した場合には、生地２０の繊維の密度を均一にして強度を高めることができる。一方、生地２０を織物などで構成することによって、気体や液体などを透過させやすくでき、通気性を高めることができる。
【００３４】
＜生地２０を樹脂で形成した場合＞
生地２０を樹脂で形成する場合には、生地２０は、樹脂シートや樹脂フィルムを用いることができる。例えば、樹脂の素材は、ポリエチレン、ポリプロピレン、塩化ビニール、ポリエチレンテレフタレート、テフロンなどを用いることができる。
【００３５】
＜生地２０を織物で形成した場合＞
生地２０を織物で形成する場合には、生地２０は、経糸（たて糸）と緯糸（よこ糸）とを所定の規則に従って交差させることで２次元的な平面を形成して作られる布地（布）である。通常は、経糸と緯糸を互いに直角に交錯させてできた布地である。経糸は、生地２０の縦（一般的に織物の長手方向）を構成する糸である。緯糸は、生地２０の横（一般的に織物の短手方向）を構成する糸である。経糸や緯糸は、動植物から採取される細長い繊維を引き揃えて束ね、さらに撚られて作られる。
【００３６】
＜＜繊維＞＞
繊維は、可撓性を有する長尺な固体であり、経糸や緯糸を形成するための材料となる素材である。繊維には、天然繊維や化学繊維などがある。天然繊維には、植物繊維や動物繊維などがあり、絹、綿、ウール、麻などがある。化学繊維には、化学的な製造方法によって製造される繊維であり、ポリエステルやナイロンなどがある。繊維は、織物や結び目の糸を形成できるものであればよく、天然繊維であっても化学繊維であってもよく、種類にはよらない。
【００３７】
生地２０を織物で形成する場合における織物の経糸及び緯糸の素材と、結び目を形成する糸の素材は、適宜に選択することができる。例えば、織物の経糸及び緯糸の素材を合成繊維にし、結び目を形成する糸の素材を天然繊維にすることができる。このようにすることで、皮膚と強めに直接に接触する結び目は天然繊維によって形成されるので、汗などを吸収することができるとともに、肌触りなどをよくすることで、快適性を維持することができる。一方、織物の経糸及び緯糸の素材を天然繊維にし、結び目を形成する糸の素材を合成繊維にすることができる。結び目を合成繊維で形成することで、剛性を高めて、皮膚への刺激を強くすることができるとともに、皮膚との接触面積が大きくなる生地２０を天然繊維で形成することで、汗などを十分に吸収させることで快適性を維持することができる。
【００３８】
また、織物の経糸及び緯糸の素材と、結び目を形成する糸の素材との双方を天然繊維にしてもよい。さらに、織物の経糸及び緯糸の素材と、結び目を形成する糸の素材との双方を合成繊維にしてもよい。後述する結び目の大きさや形状や数密度などと、快適さや刺激の強さなどとを総合的に勘案して適宜に選択することができる。
【００３９】
＜＜結び目＞＞
結び目は、糸を色々な結び方をすることで形成される糸の塊や糸の絡まりなどの糸の集合体や糸の一群や一団であり、生地２０の表面から突出したり延出したり延在したりする糸の形態である。結び目は、形状や大きさや形成方法や材質などに限定されない。また、結び目は、織物を構成する経糸や緯糸によって形成したり、経糸や緯糸とは異なる別個の糸によって形成したりすることができる。また、結び目を形成するための糸は、１本でも複数本でもよい。
【００４０】
＜結び目１０の種類＞
図１（ａ）〜図１（ｆ）及び図２は、結び目１０の代表的な例を示す概略図である。なお、結び目１０は、これらに限定されることはなく、前述したように、糸の塊や糸の絡まりなどの形態を有すればよい。
【００４１】
＜一重の玉結び＞
図１（ａ）は、「一重の玉結び」を示す図である。「一重の玉結び」は、糸が布から抜けないようにする結び方で、「とめ結び」とも呼ばれ、結びの基本となる結びである。「一重の玉結び」は、１本の糸の先端を交差させて環を形成して、その環の間に糸を１回通して引き締めることで形成することができる。環の作り方によって、右結び（右側に輪を作って結んだもの）と左結び（左側に輪を作って結んだもの）とがある。
【００４２】
＜二重の玉結び＞
図１（ｂ）は、「二重の玉結び」を示す図である。「二重の玉結び」は、１本の糸の先端を交差させて環を形成して、その環の間に糸を２回通すことで形成することができる。
【００４３】
なお、１本の糸で環を形成して、その環の間に糸を３回以上通すことで形成することでも、「玉結び」を形成することができる。
【００４４】
＜８の字結び（菊とじ結び）＞
図１（ｃ）は、「８の字結び（菊とじ結び）」を示す図である。「８の字結び」は、１本の糸の先端を交差させて環を形成し、糸にひねりを２回くわえてから、その環の間に糸を通して引き締めることで形成することができる。この結びは、水干（すいかん）や、直垂（ひたたれ）などの縫留に菊の形を作ってとじ付ける結び方で、菊とじ結びとも呼ばれる。
【００４５】
＜仲仕（なかし）結び＞
図１（ｄ）は、「仲仕（なかし）結び」を示す図である。「仲仕結び」は、まず、１本の糸の先端を交差させて環を作り、糸の先端を糸の下に２回くぐらせて、最初にできた環に上から通して引き締めることで形成することができる。この「仲仕結び」は、土木作業や船の荷役用の滑車のストッパーとして使われる。テントの張り網を穴に通すとき等にも使われる結び方である。
【００４６】
＜とめ結び（片結び）＞
図１（ｅ）は、「とめ結び」を示す図である。「とめ結び」は、第１の糸の先端を交差させて環を作り、第１の糸で形成された環に第２の糸を通して、第１の糸を引き締めることで形成することができる。「とめ結び」は、片結びとも呼ばれ、網目などを作るのに使われる結び方である。
【００４７】
＜よろい結び＞
図１（ｆ）は、「よろい結び」を示す図である。「よろい結び」は、１本の糸の先端を交差させて環を作り、交差した部分に近い環の部分を持ち上げ環の根元の交点の内側にまわし、そのまま左右の２つの輪のうち片方を通すことで形成することができる。「よろい結び」は、環になる部分と凸部になる部分とがあり、糸の環の中に糸の端を一回もくぐらせずに凸部を作ることができる。
【００４８】
＜連続一つ結び（連続止め結び）＞
図２は、一重の玉結びを１本の糸に連続して作る結び方である。「連続一つ結び」は、複数の環を作っておいて、糸の先端を複数の環を通るようにして引き締めることで形成することができる。例えば、火災の時の避難用ロープの結びなどにも利用される結び方である。この結び方により、予め結び目１０を糸に規則的に又はランダムに作成することができる。生地２０を構成する糸（経糸（たて糸）又は緯糸（よこ糸））に連続一つ結びを予め形成して生地２０を織ることで、結び目１０が形成された織物を作ることができる。
【００４９】
＜結び目１０の種類の選択＞
前述したように、結び目１０には、様々な形態があり、大きさや形状のほか、弾性変形の程度や、押圧された状態での硬さなどが異なる。このため、結び目１０が接触する身体の位置や使用目的などに応じて適宜に結び目１０を採用するのが好ましい。結び目１０が身体と接触したときに、身体を強めに刺激する結び目１０や、弱めに刺激する結び目１０などを適宜に選択することができる。
【００５０】
＜＜＜生地２０と結び目１０との関係＞＞＞
以下では、主に生地２０として織物である場合を例にして説明する。前述したように、結び目１０は、生地２０から突出したり延出したりして形成されている。結び目１０は、結び目１０を構成する糸によって生地２０と連結されている。図３は、生地２０と結び目１０との位置の関係を示す概略図である。なお、図１及び図２に示したように、結び目１０には様々な種類があり、その各々で様々の形状を有するが、簡便のために、図３では、結び目１０の外形を回転楕円体で近似した。例えば、結び目１０を構成する糸の８０％が含まれるようにして外形を回転楕円体で近似することができる。なお、結び目１０の種類や結び方によって、長尺な回転楕円体で近似されたり、扁平な回転楕円体で近似されたり、球状で近似されたりする場合がある。回転楕円体については、後で詳述する。
【００５１】
＜結び目１０が生地２０と密着して形成されている態様＞
図３（ａ）は、結び目１０が生地２０と密着して形成されている例を示す断面図である。結び目１０は、生地２０と密着しているため、結び目１０が移動できる範囲は、生地２０との接続点を中心にした範囲Ｒ１に限られる。この範囲Ｒ１は、結び目１０や生地２０の変形によって定まる。結び目１０や生地２０は可撓性を有するので、結び目１０は、常に一定の位置に存在するのではなく、ある程度の範囲に移動することができる。
【００５２】
＜糸（連結部の糸）を介して結び目１０が連結されている態様＞
図３（ｂ）は、結び目１０を構成する糸（連結部の糸）によって生地２０と結び目１０が連結されている例を示す断面図である。結び目１０が位置する範囲は、連結部の糸の長さによって定まる。結び目１０は、連結部の糸を介して生地２０に連結されているので、結び目１０が移動できる範囲は、連結部の糸が生地２０に連結された箇所を中心にした半径Ｒ２の内側の範囲となる。結び目１０が移動できる範囲は、図３（ａ）に示した結び目１０が生地２０と密着して形成されている場合よりも大きくなる。なお、連結部の糸は、結び目１０を構成する糸でなく、別の糸で構成してもよい。また、連結部の糸は、１本に限られず、複数本の糸で構成されてもよい。
【００５３】
＜結び目１０の一部が生地２０に埋まっている態様＞
図３（ｃ）は、結び目１０の一部が生地２０に埋まって形成されている例を示す断面図である。例えば、生地２０にある程度の厚みがあるような場合には、結び目１０の一部が生地２０に埋まるようにして、結び目１０を形成することができる。この場合には、結び目１０が移動できる範囲は、生地２０との接続点を中心にした範囲Ｒ３に限られる。結び目１０や生地２０は可撓性を有するが、図３（ａ）に示した結び目１０が生地２０と密着している場合よりも狭い範囲で移動することができる。なお、この場合には、結び目１０によって生地２０の裏面（結び目１０が形成されている面とは反対側の面）が膨出してもよい。
【００５４】
＜結び目１０が生地２０の表面と裏面との双方から膨出する態様＞
図３（ｄ）は、結び目１０が生地２０の表面と裏面との双方から膨出して形成されている例を示す断面図である。例えば、結び目１０を生地２０に押し込んだり、生地２０を構成する糸に結び目１０を予め形成して生地２０を織るようにして、結び目１０を形成することができる。この場合も、結び目１０が移動できる範囲は、生地２０との接続点を中心にした範囲Ｒ４に限られる。図３（ａ）に示した結び目１０が生地２０と密着している場合よりも狭い範囲で移動することができる。
【００５５】
＜＜＜生地２０における結び目１０の配列＞＞＞
前述したように、生地２０は、２次元的な平面状に延在し、第１の表面と第１の表面と反対側の第２の表面とを有し、少なくとも１つの結び目１０が生地２０の第１の表面又は第２の表面のいずれか一方の表面に連結されている。複数の結び目１０は、各種の配置の態様（配置パターン）で生地２０の表面（生地２０の２次元方向）に亘って分布して配置することができる。複数の結び目１０の配置の態様は、規則的なものでも、ランダムなものでもよい。以下では、複数の結び目１０の配置の態様について、代表的なものを例示する。
【００５６】
＜正方形型＞
図４（ａ）は、正方形型の配置を示す概略図である。結び目１０が、正方形の頂点に位置するように配置される。なお、正方形は仮想的なもので、図４（ａ）では、１つの正方形を破線で示した。正方形は、生地２０の第１の表面又は第２の表面のいずれか一方の表面に少なくとも１つ仮想的に形成できればよい。
【００５７】
＜三角形型＞
図４（ｂ）は、三角形型の配置を示す概略図である。結び目１０が、三角形の頂点に位置するように配置される。なお、三角形は仮想的なもので、図４（ｂ）では、１つの三角形を破線で示した。三角形は、生地２０の第１の表面又は第２の表面のいずれか一方の表面に少なくとも１つ仮想的に形成できればよい。また、図４（ｂ）に示した例では、正三角形である場合を示したが、二等辺三角形や一般三角形などにすることができる。
【００５８】
＜平行型＞
図４（ｃ）は、平行型の配置を示す概略図である。結び目１０が、互いに平行な複数の直線上に位置するように配置される。結び目１０は、一の直線上に（一の直線に沿って）配置され、一の直線上における結び目１０の間隔は、互いに隣り合う直線の間隔よりも短い。なお、一の直線上における結び目１０の間隔が、互いに隣り合う直線の間隔と同じ場合には、前述した正方形型となる。
【００５９】
＜格子型＞
図４（ｄ）は、格子型の配置を示す概略図である。結び目１０が、格子状に配置される。具体的には、結び目１０は、第１の方向（例えば、横方向）に沿って互いに平行な複数の直線と、第１の方向とは異なる第２の方向（例えば、縦方向）に沿って互いに平行な複数の直線との各々の直線に沿って配置される。
【００６０】
図４（ｄ）に示した例では、第１の方向と第２の方向とのなす角が直角となる場合を示したが、第１の方向と第２の方向とのなす角は、直角以外の角でもよい。また、図４（ｄ）に示した例では、第１の方向に沿った複数の直線の隣り合う直線の間隔が全て同じとなる場合を示したが、隣り合う直線の間隔が異なるものが含まれていてもよい。同様に、第２の方向に沿った複数の直線の隣り合う直線の間隔が全て同じとなる場合を示したが、隣り合う直線の間隔が異なるものが含まれていてもよい。さらに、図４（ｄ）に示した例では、第１の方向の複数の直線の隣り合う直線の間隔と、第２の方向の複数の直線の隣り合う直線の間隔とが異なってもよい。間隔は問わずに、第１の方向に沿った複数の直線と第２の方向に沿った複数の直線とが交差すればよい。
【００６１】
＜ジグザグ型＞
図４（ｅ）は、ジグザグ型の配置を示す概略図である。結び目１０が、屈曲した山型と屈曲した谷型とに繰り返して配置される。具体的には、結び目１０は、Ｖ字状及び逆Ｖ字状を交互に繰り返して屈曲する線上に沿って配置される。図４（ｅ）に示した例では、結び目１０は、互いに平行に配置された複数の屈曲する線上に沿って配置される。図４（ｅ）に示した例では、隣り合う直線の間隔が全て同じとなる場合を示したが、隣り合う直線の間隔が異なるものが含まれていてもよい。
【００６２】
＜波型＞
図４（ｆ）は、波型の配置を示す概略図である。結び目１０が、波状に配置される。具体的には、結び目１０が、湾曲する山型と湾曲する谷型とを交互に繰り返す線上に沿って配置される。図４（ｆ）に示した例では、結び目１０は、互いに平行に配置された複数の波状の線上に沿って配置される。図４（ｆ）に示した例では、隣り合う直線の間隔が全て同じとなる場合を示したが、隣り合う直線の間隔が異なるものが含まれていてもよい。
【００６３】
＜菱型＞
図５（ａ）は、菱型の配置を示す概略図である。結び目１０が、菱型状に沿って配置される。菱型は、４つの辺の長さが互いに相等しい４辺形であり。隣り合う辺のなす角が直角以外の角となった４辺形である。図５（ａ）に示した例では、結び目１０が、一本の直線に沿って隣接する複数の菱型状に配置される。なお、結び目１０が、離隔して配置された複数の菱型上に配置されてもよい。また、結び目１０が、複数の直線に沿って隣り合う複数の菱型状に配置されてもよい。
【００６４】
＜渦巻型＞
図５（ｂ）は、渦巻型の配置を示す概略図である。結び目１０が、渦巻状に沿って配置される。渦巻型は、螺旋状に巻かれた平面曲線の形である。図５（ｂ）に示した例では、渦巻型を構成する隣り合う曲線の間隔が同じとなる場合を示したが、異なる間隔が含まれていてもよい。例えば、内側から外側に向かうに従って間隔が広がったり狭まったりするようにしてもよい。また、図５（ｂ）に示した例では、結び目１０が、一つの渦巻状に配置された場合を示したが、複数の渦巻状に配置されてもよい。
【００６５】
＜Ｕ字状湾曲型＞
図５（ｃ）は、Ｕ字状湾曲型の配置を示す概略図である。結び目１０が、Ｕ字状と逆Ｕ字状とが繰り返して配置される。具体的には、結び目１０は、Ｕ字状と逆Ｕ字状とを交互に繰り返して湾曲する線上に沿って配置される。図５（ｃ）では、結び目１０が、単一のＵ字状湾曲線に沿って配置される例を示したが、複数本のＵ字状湾曲線に沿って配置されてもよい。隣り合うＵ字状湾曲線の間隔が全て同じでも異なるものでもよい。
【００６６】
＜楕円型＞
図６（ａ）は、楕円型の配置を示す概略図である。結び目１０が、楕円状に配置される。図６（ａ）に示した例では、複数の楕円が互いに離隔して配置される。結び目１０は、複数の楕円の各々に沿って配置される。図６（ａ）に示した例では、楕円の長軸が横方向である５つの楕円の集合を示したが、長軸の向きや数はこれに限られない。
【００６７】
＜円型＞
図６（ｂ）は、円型の配置を示す概略図である。結び目１０が、円状に配置される。図６（ｂ）に示した例では、複数の円が互いに離隔して配置される。結び目１０は、複数の円の各々に沿って配置される。図６（ａ）に示した例では、楕円の長軸が横方向である５つの楕円の集合を示したが、長軸の向きや数はこれに限られない。
【００６８】
＜ランダム型＞
図６（ｃ）は、ランダム型の配置を示す概略図である。複数の結び目１０が、任意の位置に（ランダムに）配置される。
【００６９】
＜混合型＞
図７（ａ）は、複数の正方形型の配置を示す概略図である。また、図７（ｂ）は、２つの円型と２つの円型の外側に沿った２本の曲線との配置を示す概略図である。
【００７０】
＜＜結び目１０の配列の概略＞＞
前述した図４〜図７に示した配置の型は、一例に過ぎず、これ以外の配列の型も適宜に用いることができる。１枚の生地２０において、少なくとも１つの配置の型を用いることができ、生地２０の複数の領域の各々で、互いに異なる配置の型を用いることができる。例えば、生地２０の第１の領域では、山型の配置を採用し、第１の領域とは異なる第２の領域では、ランダム型の配置を採用することができる。
【００７１】
例えば、生地２０が接触する身体の部位に応じて異なる配置の型を採用することができる。具体的には、敷布の生地２０の手足が接触する部分は、ジグザグ型にし、背中が接触する部分は、Ｕ字状湾曲型にすることができる。身体の部位の皮膚や筋肉などに応じて配置の型を用いることができる。
【００７２】
＜＜＜結び目１０の各種の態様＞＞＞
＜＜隣り合う結び目１０の間隔ＣＬ＞＞
隣り合う結び目１０の間隔ＣＬは、０．５ｍｍ以上かつ２０ｍｍ以下の範囲が好ましい。なお、ここで、隣り合う結び目１０の間隔ＣＬとは、生地２０の対象とする領域内に形成されて分布する複数の結び目１０で近接する２つの結び目１０の平均的な間隔である。
【００７３】
隣り合う結び目１０の間隔ＣＬが最小間隔の０．５ｍｍである場合には、隣り合う結び目１０が、連続的に互いに接する場合もある。この場合には、連続的に互いに接した結び目１０が生地２０と皮膚との間に位置し、生地２０と皮膚とを連続的に離隔させることができ、皮膚が生地２０と接触する接触面積を小さくすることができ、通気性を良くすることで心地よさを高めることができる。
【００７４】
また、隣り合う結び目１０の間隔ＣＬを、最大間隔の２０ｍｍより大きくした場合には、結び目１０が皮膚と接触する数が減り、皮膚を刺激が低下する。さらに、隣り合う結び目１０の間隔ＣＬが２０ｍｍより大きい場合には、生地２０との接触面積が大きくなり、通気性が悪化して心地よさが低下する可能性が高くなる。
【００７５】
＜＜結び目１０の高さＨＴ＞＞
結び目１０の高さＨＴは、結び目１０を作る糸の太さ、糸の密度、糸の材質、撚り方（撚りの形や撚りの回数など）などによって定める。結び目１０の高さＨＴは、０．５ｍｍ以上かつ５ｍｍ以下の範囲が好ましい。結び目１０の高さＨＴを５ｍｍにした場合には、結び目１０として大きくなり得るが、糸の撚り方によっては、十分に通気性を良くして、心地が良い範囲に含めることができる。
【００７６】
＜＜結び目１０の高さＨＴと隣り合う結び目１０の間隔ＣＬとの比＞＞
前述した検討から、結び目１０の高さＨＴと隣り合う結び目１０の間隔ＣＬとの比は、０．０２５以上かつ１以下の範囲が好ましい。このようにしたことで、皮膚と生地２０との接触面積及び皮膚と接触する結び目１０の数とを好ましくして、通気を向上させて心地よさを高めることができる。
【００７７】
＜＜結び目１０の数密度ＤＴ＞＞
結び目１０の数密度ＤＴは、結び目１０の単位面積当たりの数である。結び目１０の数密度ＤＴは、生地２０の使用目的や生地２０が当たる身体の部位等によって、好ましい範囲を有する。結び目１０の数密度ＤＴが最も高くなるときは、隣り合う結び目１０の間隔ＣＬの最小間隔が０．５ｍｍであるので、１ｃｍ２当たりの結び目１０の数は、２０×２０＝４００個となる。一方、結び目１０の数密度ＤＴが最も低くなるときは、隣り合う結び目１０の間隔ＣＬの最大間隔が２０ｍｍであるので、１ｃｍ２当たりの結び目１０の数は、０．５個（２ｃｍ２当たりの結び目１０の数は１個）となる。したがって、好ましい結び目１０の数密度ＤＴは、０．５（個／ｃｍ２）以上かつ４００（個／ｃｍ２）以下となる。
【００７８】
＜＜結び目１０の近似形状及び近似形状の特徴＞＞
前述したように、結び目１０は、糸を結ぶことによって形成される。前述したように、結び目１０の作り方は、複数の種類があり、作り方によって結び目１０の形状も異なる。このため、結び目１０は、球状に近いものだけでなく、細長い形状や偏平状の形状など様々な形状を有することが想定される。以下では、簡便のため、結び目１０は、平均的でかつ代表的な形状を有するものとして、略回転楕円体状で近似できるものとする。なお、回転楕円体とは、楕円をその長軸又は短軸を回転軸として得られる回転体であり、３つの径のうちの２つの径を等しくした楕円体である。以下では、説明のため、３つの径のうちの等しい２つの径の半径を赤道半径と称し、残りの１つの半径を極半径と称する。ここでは、結び目１０を構成する糸の８０％が含まれるようにして外形を回転楕円体で近似する。なお、回転楕円体が結び目１０の全体的な外形の特徴を示すことができればよく、回転楕円体に含まれる結び目１０の糸の割合は、適宜に定めることができる。
【００７９】
＜直径ＤＭと高さＨＴとの比＞
結び目１０の形状を回転楕円体状に近似させた場合には、大まかに、扁球状の形状と長球状の形状とに分類することができる。扁球状の場合には、赤道半径が極半径よりも長く、極半径を回転軸とした回転楕円体となる（図８（ａ−１）参照）。一方、長球状の場合には、赤道半径が極半径よりも短く、極半径を回転軸とした回転楕円体となる（図８（ａ−２参照）。なお、結び目１０の形状が、扁球状の回転楕円体である場合でも、長球状の回転楕円体である場合でも、赤道半径は、生地２０に沿った方向になり、極半径は、生地２０と垂直な方向に沿った方向になる。なお、以下では、赤道半径を２倍した径を直径ＤＭと称し、極半径を２倍した径を高さＨＴと称する。
【００８０】
また、結び目１０の形状が、長球状の回転楕円体である場合には、極半径及び赤道半径を、生地２０に沿った方向に向けることもできる。この場合に、極半径を、生地２０に沿った第１の方向に向け、かつ、赤道半径を、第１の方向ｘに対して直角の第２の方向ｙに向けたり（図８（ｂ−１）参照）、極半径を、第１の方向ｘに対して直角の第２の方向ｙに向け、かつ、赤道半径を、第１の方向に向けたり（図８（ｂ−２）参照）することができる。この場合にも、図８（ｂ−１）及び図８（ｂ−２）に示すように、赤道半径を２倍した径を直径ＤＭと称し、極半径を２倍した径を高さＨＴと称する。
【００８１】
前述したように、高さＨＴは、０．５ｍｍ以上かつ５ｍｍ以下とするのが好ましい。また、直径ＤＭも同様に、０．５ｍｍ以上かつ５ｍｍ以下とするのが好ましい。さらに、高さＨＴと直径ＤＭとの比である高さＨＴ／直径ＤＭが、０．５以上かつ２以下にするのが好ましい。
【００８２】
＜＜結び目１０の硬さ＞＞
結び目１０の硬さは、糸の材質や結び方などによって定まる。また、糸を結んで結び目１０を形成するときに、糸の両端を強く引いて結び目１０を形成したときには、結び目１０の硬さは、硬くなり、糸の両端を軽く引いて結び目１０を形成したときには、結び目１０の硬さは、柔らかくなる。さらに、糸の撚り方が、堅いか又は緩いかによっても、結び目１０の硬さは変化する。
【００８３】
このように、結び目１０の硬さは、種々の条件によって変化するが、結び目１０は、撚られた糸を結ぶことで形成されるため、例えば、金属性の留め具（ホック）や衣服の止め具（ボタン）などのように堅くなることはない。撚られた糸によって形成される結び目１０は、体重などの外力が印加されると、弾性変形するとともに、元の形状に戻ろうとする反発力が発生し、この反発力によって指圧のように身体を押圧することで心地よさが生ずる。用途や個人の好みの感覚に応じて結び目１０の硬さを適宜に定めることができる。
【００８４】
＜結び目１０の数密度ＤＴの分布＞
前述したように、好ましい結び目１０の数密度ＤＴは、０．５（個／ｃｍ２）以上かつ４００（個／ｃｍ２）以下という範囲を有する。この好ましい結び目１０の数密度ＤＴを、生地２０の使用目的や、個人の使用感や、刺激の心地よさなどによって使い分けることができる。さらに、シーツ等のように、直接に肌に触れる生地２０は、身体の神経の分布により、肢部等のように神経の分布密度が高い場所には、中密度の結び目１０を配置し、背中等のように神経の分布密度が低い場所には、低密度の結び目１０を配置することができる。触圧覚は、感覚性の神経の興奮によって感知され、神経の分布密度が高いほど感覚は高くなる。軽い刺激は、触感として感じられ、強い圧力は圧覚として感じられる。
【００８５】
結び目１０の数密度ＤＴの分類として、以下の高密度、中密度、低密度がある。
高密度・・・１００（個／ｃｍ２）以上かつ４００（個／ｃｍ２）以下
中密度・・・  １０（個／ｃｍ２）以上かつ１００（個／ｃｍ２）未満
低密度・・・０．５（個／ｃｍ２）以上かつ  １０（個／ｃｍ２）未満
これらの結び目１０の数密度ＤＴの高密度、中密度、低密度を、身体の感覚などに応じて適宜に適用することができる。
【００８６】
＜＜＜糸と結び目１０との関係＞＞＞
前述したように、結び目１０は、生地２０を構成する糸で構成しても、生地２０とは異なる別個の糸で構成してもよい。
【００８７】
＜＜生地２０を構成する糸に結び目１０を形成する場合＞＞
前述したように、生地２０を織物で形成する場合には、生地２０は、経糸（たて糸）と緯糸（よこ糸）とによって構成される。この場合には、経糸に結び目１０を形成しても、緯糸に結び目１０を形成してもよい。さらに、織機によって織物生地を織る際に生地２０の表面に結び目１０が形成されるようにすることもできる。
【００８８】
＜経糸（縦糸）に予め結び目１０を形成しておく場合＞
織機による工程で、図９に示すように、経糸（縦糸）に予め結び目１０を規則的又はランダムに形成しておき、整列させた複数本の経糸の間に緯糸（横糸）を通して織物を織ることによって、結び目１０を有する生地２０を形成することができる。緯糸及び経糸の太さや、経糸の間隔や、結び目１０の大きさなどを適宜に調整することによって、円滑に織物を織ることができる。
【００８９】
＜緯糸（横糸）に予め結び目１０を形成しておく場合＞
一方、織機による工程で、図１０に示すように、緯糸（横糸）に予め結び目１０を規則的又はランダムに形成しておき、整列させた複数本の経糸の間に緯糸（横糸）を通して織物を織ることによって、結び目１０を有する生地２０を形成することができる。緯糸及び経糸の太さや、経糸の間隔や、結び目１０の大きさなどを適宜に調整することによって、円滑に織物を織ることができる。
【００９０】
＜織物を織る過程で結び目１０を形成する場合＞
さらにまた、図１１に示すように、織機によって織物を織る工程で、織る過程で結び目１０を形成しながら生地２０を形成する方法もある。この場合も、緯糸及び経糸の太さや、経糸の間隔や、結び目１０の大きさなどを適宜に調整することによって、円滑に織物を織ることができる。
【００９１】
＜結び目１０を押し出す場合＞
一般に、織物（生地２０）は、第１の面（例えば、表面（おもて面））と第２の面（例えば、裏面（うら面））との２つの表面を有する。前述した織物を形成する過程において、結び目１０を生地２０の一方の表面（例えば、表面）のみに配置するようにする必要がある。このため、織物を他方の面（例えば、裏面）から一方の表面（例えば、表面）に向かって押圧するための押圧体を、例えば、ローラー（円柱状（図１２（ａ））、三角柱状（図１２（ｂ））、四角柱状（図１２（ｃ）））などを押し当てて、結び目１０を一方の表面に移動させて一方の表面から押し出して突出させる（図１３）必要がある。
【００９２】
＜結び目１０を引き出す場合＞
また、前述した例では、結び目１０を一方の表面から押し出す場合を示したが、結び目１０を一方の表面から引き出すようにしてもよい。例えば、鉤（鈎針）などの掛止体で結び目１０を掛止して、結び目１０を一方の表面から引き出して突出させるようにもできる（図１４）。
【００９３】
＜＜生地２０とは異なる糸によって結び目１０を形成する場合＞＞
基本となる生地２０に、生地２０とは異なる糸によって結び目１０を形成することもできる。特に、生地２０とは異なる材質の糸によって結び目１０を形成することができる。例えば、生地２０の肌触りとは異なる肌触りの結び目１０を形成することができ、身体に適切な刺激を与えることができる。具体的には、基本となる生地２０に、生地２０とは異なる糸を針で刺しながら結び目１０を作っていくことで形成することができる。この手法は、一般に手芸の刺繍等に採用されているが、機械化することも可能である。
【００９４】
例えば、生地２０の他方の表面（例えば、裏面）から一方の表面（例えば、表面）に、結び目１０を作るため糸を通し、一方の表面側で結び目１０を形成した後に、糸を通過させた位置で糸を一方の表面から他方の表面に戻し、任意の間隔を空けて、別の位置で、生地２０の他方の表面（例えば、裏面）から一方の表面（例えば、表面）に、結び目１０を作るため糸を通し結び目１０を形成し、糸を通過させた位置で糸を一方の表面から他方の表面に戻す。この作業を反復することで、生地２０の表面に結び目１０を形成することができる（図１５（ａ））。
【００９５】
また、生地２０の他方の表面（例えば、裏面）から一方の表面（例えば、表面）に、結び目１０を作るための糸を通し、一方の表面側で結び目１０を形成した後に、糸を通過させた位置で糸を一方の表面から他方の表面に戻す。他方の表面側に位置する糸を結びあわせることで、結び目１０が抜けないようにする（図１５（ｂ））。
【００９６】
さらにまた、ミシンの機構を利用することで結び目１０を形成することができる。ミシンでは、生地２０の厚さの中心の位置で上糸と下糸とを絡めて、布を縫うように構成されている。ここでは、予め下糸のみに結び目１０を作成しておき、上糸に加える力と下糸に加える力とのバランスを調整しながら縫うことで、結び目１０が生地２０の一方の表面（図１６に示す例では下面）に位置するように結び目１０を形成することができる。
【００９７】
＜＜＜結び目１０を形成した織物・生地２０の用途＞＞＞
結び目１０を形成した織物・生地２０は、多くの用途を有する。
【００９８】
＜シーツ＞
結び目１０を形成した織物・生地２０を、シーツ（掛け布団カバー、枕カバー、抱き枕カバー、クッションカバー等）に使用することができる。自然素材を生かし耐久性を強くすることで、結び目１０の程好い硬さと、程好い弾力とにより、身体（皮膚）を適度に刺激して、血行を促進し、通気性によりむれにくく安眠につなげることができる。また、指圧効果、マッサージ効果が期待できるため、介護施設や病院で使用したり、健康志向から指圧店や色々のマッサージ店舗等で使用したりすることができる。
【００９９】
＜衣類＞
結び目１０を形成した織物・生地２０を、衣類（インナー、シャツ、靴下、パジャマ、スポーツウエア等）に使用することができる。主として、結び目１０が形成されている面が、衣類の裏面（身体と接する面）になるようにする。身体（皮膚）を適度に刺激して、血行を促進し、通気性によりむれにくくすることができる。汗をかいたときなどは、皮膚に生地２０が密着することがなく、皮膚呼吸を促進することができる。
【０１００】
＜垢こすり＞
結び目１０を形成した織物・生地２０を、垢こすりに使用することができる。結び目１０が身体の表面（皮膚）を摺動するときに、皮膚によって結び目１０が揺動して、結び目１０が優しく肌をこすることで、身体の汚れや垢を除去しつつ、さらにマッサージ効果も発揮する。
【０１０１】
＜＜＜＜本実施の形態の詳細＞＞＞＞
上述したように、本考案は、本実施の形態によって記載したが、この開示の一部をなす記載及び図面はこの考案を限定するものであると理解すべきでない。このように、本考案は、ここでは記載していない様々な実施の形態等を含む。
【図１】
0003228556.tif 000003
【図２】
0003228556.tif 000004
【図３】
0003228556.tif 000005
【図４】
0003228556.tif 000006
【図５】
0003228556.tif 000007
【図６】
0003228556.tif 000008
【図７】
0003228556.tif 000009
【図８】
0003228556.tif 000010
【図９】
0003228556.tif 000011
【図１０】
0003228556.tif 000012
【図１１】
0003228556.tif 000013
【図１２】
0003228556.tif 000014
【図１３】
0003228556.tif 000015
【図１４】
0003228556.tif 000016
【図１５】
0003228556.tif 000017
【図１６】
0003228556.tif 000018